(57)【要約】【課題】融雪．融氷マットを汎用品である防水シートに、電気毛布、電気マット若しくは電気カーペット等の面状発熱体を包設することにより、該面状発熱体の熱により融雪、融氷をすることができるようにして、該融雪．融氷マットを廉価で簡易に使用を可能にする。【解決手段】本考案は、２層の防水シートに面状発熱体２を収納する収納部２２、その全周辺の密閉部２１及びその境界を該面状発熱体２を収納、取り出し可能にする防水ファスナー３により収納部１を構成し、該密閉部２１には収納袋１を係止する係止孔４、もしくは円柱体錘８、棒状板体９、若しくは水タンク１０にて収納袋１を融雪、融氷対象物に緊定、又は敷設して、廉価でしかも簡便に使用可能な融雪．融氷マットを提供する。【選択図】図１
0003127346.tif 000002
【実用新案登録請求の範囲】
【請求項１】
二層の合成樹脂防水シートで、収納部、および該収納部全周囲を密閉する密閉部よりなる収納袋を形成し、該収納部と該密閉部の境界の一端に上部、下部もしくは左右に防水ファスナーを添着して、面状発熱体である電気毛布、電気マット、もしくは電気カーペット等を収納して密閉し、該面状発熱体の電気コードを密閉部に密閉して収納部内部から外部に貫設することを特徴とする融雪．融氷マット。
【請求項２】
上記密閉部の表裏に貫通して設けた、収納袋をロープ等により対象物に緊定するための複数の係止孔を有することを特徴とする請求項１に記載の融雪．融氷マット。
【請求項３】
上記密閉部に、収納袋を対象物に固定するための錘として、１個若しくは複数の円柱体、棒状板体、若しくは水パイプを載設することを特徴とする請求項１ないし請求項２のいずれかに記載の融雪．融氷マット。
【請求項４】
上記密閉部に、常温水、若しくは温水を流し冬季には融雪、融氷若しくは夏季には冷却を行う１個若しくは複数のノズル付き散水パイプを載設することを特徴とする請求項１ないし請求項３のいずれかに記載の融雪．融氷マット。
【請求項５】
上記収納部の内面全体に、防水シートの防水性向上剤として、合成ゴムであるブチルゴム等を塗布したことを特徴とする請求項１ないし請求項４のいずれかに記載の融雪．融氷マット。
【請求項６】
上記面状発熱体の外面全体に、該面状発熱体の防水性向上剤として、合成ゴムであるブチルゴム等を塗布したことを特徴とする請求項１ないし請求項５のいずれかに記載の融雪．融氷マット。
【考案の詳細な説明】
【技術分野】
【０００１】
本考案は、道路、家屋の屋根等に積雪する雪、凍結する氷を融雪、融氷することを目的とする融雪．融雪マットに関するものである。
【背景技術】
【０００２】
従来の道路、家屋の融雪、融氷方法は、水に塩分を加えて散水する方法、面状電気ヒータを設置する方法、面状発熱体をマット状に形成した融雪マット、若しくは温水パイプを配設する等があった。
【０００３】
面状電気ヒータについては、その熱効率を向上する融雪装置及び融雪方法（例えば、特許文献１参照）、また温水パイプについては発熱パネルを構成して、その耐久強度、維持管理を向上した融雪装置があった（例えば、特許文献２、特許文献３参照）。
【特許文献１】特開平１０−１４７９０７号公開
【特許文献２】特開２００３−３４２９２６号公開
【特許文献３】特開平６−１０８４３０号公開
【考案の開示】
【考案が解決しようとする課題】
【０００４】
塩分含有水をポンプ等で散水する方法では、融雪設備に多額の費用を必要とし、塩分により装置の腐食、また対象物及び周辺の環境の汚染等が発生していた。
【０００５】
従来の面状電気ヒータを利用しての融雪マットでの融雪方法では、該面状電気ヒータの構造が複雑、特殊であり、汎用的に広く簡便に使用するには無理があった。また融雪パイプによる融雪は、装置が大掛かりな設備となり、高価で、一般家庭等で汎用的に用いる事は困難なものであった。
【０００６】
家屋の屋根、鉄道線路内の積雪、航空機が運行終了し全エンジン停止後、駐機中の翼面上の積雪、あるいは厳冬の北洋で操業する漁船の甲板上に発生する着氷を融雪、融氷する為の従来の装置では効果的、経済的なものはなく、厳寒の中、多数の人員が長時間を掛けて融雪、融氷作業を行っている。
【０００７】
平成１７年１２月から平成１８年２月までの降雪量は全国的に記録的な大雪で、屋根の雪降ろし中または落下する雪での死者は１４０名を数え、骨折等での負傷者は約３０００名となり、陸上全般、航空機等の運休も記録的なものであった。更に積雪による家屋の倒壊の被害も甚大で、雪の重みにより壊滅的な被害を受けた地方もあった。このため政府は平成１８年３月度に於いて特別交付金の除雪費は、６０８億円の税金を使い、各自治体の除雪費用を合計すると１千億円をゆうに超える。これらは、従来の融雪装置、方法が高価、複雑で相当の設備が必要のため、一般的に普及できない証である。
【０００８】
特に、東北、北陸地方においては積雪が２Mから３Mに達し、リンゴ等の果樹は、果樹木の特性、育成作業のため、地面から２Mから３Mに果樹があり積雪により該果樹が雪に埋まり、その雪の重み、氷結により枝幹割れを生じて、果樹に甚大な損害を与えていた。また、果樹等のビニールハウス栽培においてはビニールハウスの構造そのものが軟弱であり、積雪による倒壊等で、大きな被害を生じていた。
【課題を解決するための手段】
【０００９】
本考案は、強靭かつ柔軟性のある合成樹脂防水シート、例えば貨物自動車に使用される防水シート等で収納部２２及び密閉部２１からなる収納袋１を形成し、その収納部２２に汎用されている電気毛布、電気マット、若しくは電気カーペット等の面状発熱体２を収納して、該面状発熱体２の発熱により融雪、融氷を行うものである（図１）。
【００１０】
収納部２２及び密閉部２１の境界部分の１端若しくは複数端に防水ファスナー３を添着して、面状発熱体２を収納部１に挿入、取り出し可能とする。また面状発熱体２の電源コード７を密閉部２１に密閉して収納部２２内部から外部に貫設して、外部より通電できるようにする（図１、図２、図３）。
【００１１】
収納袋１の周囲密閉部２１には、該密閉部２１の表裏に貫通する複数の係止孔４を設け、係止ロープ５、紐等を該係止孔４に挿通して屋根下等の係止具１７に緊定して、収納袋１を固定する（図１、図７）。
【００１２】
道路、屋根１６等への収納袋１敷設の他の強風対策方法として、特に対象物に係止具１７がない場合には、該収納袋１の密閉部２１に１個または複数の円柱状体錘８、棒状板体錘９，又は水タンク錘１０をボルト．ナット等で固定して載せ、錘としての機能を持たして収納袋１が吹き飛ばされないようにする事ができる（図４、図５、図８）。
【００１３】
収納袋１の密閉部２１に、ノズル孔１２を有する散水パイプ１１を散水パイプ取付具１３で設置し、
水ホース１４より常温水、又は温水を流すことにより、冬季、夏季のおいて必要な場合に散水して、降雪、又は冷却をできるようにする（図６、図９、図１０）。
【００１４】
防水シートは防水加工を施してあり、ある一定期間は充分な防水効果があるが、より耐用年数を延ばすため、収納袋１の内側、又は／及び面常発熱体２の表面に、合成ゴムの一種であるブチルゴム等防水効果の高い物を塗布することにより，その防水効果は更に向上し、また耐用年数も飛躍的に延びる。
【考案の効果】
【００１５】
本考案の融雪．融氷マットは、汎用の防水シート、電気毛布、電気マット、又は電気カーペット等の面状発熱体を用いるため、廉価で大掛かりな設備を必要とせず、簡単に家屋の屋根等に設置できるので、家庭人が個々に使用可能となり、降雪作業が必要なくなり、貴重な人命、莫大な除雪費用を大幅に節減できる。また積雪による果実の枝幹割れによる被害も、本考案の融雪．融氷マットを果実の木の上に被せ、及び／又は木下周辺に敷設する事により融雪し、その甚大な被害を最小限に留める事ができる。
【００１６】
本考案の融雪．融氷マットは、汎用の防水シート、面状発熱体より構成されているため軽量、かつ可撓性に優れ、歩道橋等の階段、微妙に曲がった屋根、飛行機の微妙にカーブした翼、あるいは、果樹の木の上等にも、ぴったりフィットした状態で簡単に設置できる。また該融雪．融氷マットを捲回して、収納、持ち運びすることもできる。
【００１７】
屋根下に係止具がない場合、又は歩道等融雪．融氷マットを緊定する事が出来ない場合でも、該融雪．融氷マット上に円柱状、棒状板体、又は水パイプ等の錘を設置することにより、強風に煽られることなく融雪、融氷を行える。
【００１８】
鉄路線の積雪、航空機での長時間駐機中の翼面上の積雪、若しくは厳寒の北洋で操業する漁船の甲板上の着氷等は、従来人為的作業で降雪、融氷をおこない、厳寒の中これらの除去作業は大変な重労働であったが、本考案の融雪．融氷マットを使用することにより、簡単にしかも廉価に融雪、融氷を行うこと事ができ労力の大幅な削減に寄与する。
【００１９】
例えば、家屋の屋根の如く融雪．融氷マットを載設する面が傾斜している場合、該融雪．融氷マットの上側に散水パイプを配設することにより、冬季において該融雪．融氷マットへの通電を忘れたため、又は真夜中の急激な積雪で通電できず該融雪．融氷マット上に積雪があった場合に、散水パイプに温水又は常温水を送り散水することにより、一種のなだれ現象を生じさせて一気に降雪する事ができる。また、夏季においては、該散水パイプより常温水を屋根上に散水することにより，瓦の温度８５℃〜９０℃より、４０℃〜５０℃に冷却でき、家屋内の冷房効果を高める事ができる。
【００２０】
本考案である融雪．融氷マットは、防水シートを使用しているため充分な防水効果、耐久性を有するが、加えて収納部の内面、又は／及び面常発熱体の外面に防水効果の大きい合成ゴムの一種、ブチルゴム等を塗布すれば、更にその耐用年数は長くなる。
【考案を実施するための最良の形態】
【００２１】
本考案は、強靭かつ柔軟性のある合成樹脂防水シート、例えば貨物自動車に使用される防水シート等で収納部２２及び密閉部２１からなる収納袋１を形成し、その収納部２２に汎用されている電気毛布、電気マット、若しくは電気カーペット等の面状発熱体２を収納して、該面状発熱体２の発熱により融雪、融氷を行うものである。市販の電気マットは長さ１０M、幅５Ｍまでの物があり、一枚の融雪．融氷マットは、該サイズまで製作可能である。合成樹脂シート、面状発熱体２とも汎用性の高い物であり、廉価で設備投資等が必要なく、容易に製作が可能であり、またその使用方法も簡単、容易であるので、一般的な汎用性の高い融雪．融氷マットを提供する事ができる（図１）。
【００２２】
強靭かつ柔軟性のある合成樹脂防水シートを、長方形状の面状発熱体２である、電熱線６を有する電気毛布、電気マット又は電気カーペット等を収納するサイズ、及びその周囲の密閉部２１を残して裁断して、２層を重ねて密閉部２１を強力接着剤等で貼着する。収納部２２及び密閉部２１の境界部分の１端若しくは複数端に防水ファスナー３を添着して、面状発熱体２を収納部１に挿入、取り出し可能とする。また面状発熱体２の電源コード７を密閉部２１に密閉して収納部２２内部から外部に貫設して、外部より通電できるようにする（図１、図２、図３）。
【００２３】
対象物へ融雪．融氷マットの敷設する場合、強風にて収納袋１が剥ぎ取られ、吹飛ばされる可能性があるため、該収納袋１の周囲密閉部２１には、該密閉部２１の表裏に貫通する複数の係止孔４を設け、係止ロープ５、紐等を該係止孔４に挿通して対象物の係止具１７に緊定して、収納袋１を固定する（図１、図７）。
【００２４】
鉄路、道路、又は屋根等への収納袋１敷設の他の強風対策方法として、特に対象物に係止具がない場合には、該収納袋１の密閉部２１に１個または複数の円柱状体錘８、棒状板体錘９，又は水タンク錘１０をボルト．ナット等で固定して載せ、錘としての機能を持たして収納袋１が吹き飛ばされないようにする事ができる。例えば、鉄道線路内に収納袋１を敷設する場合、レール１９及び枕木２０間に、列車通過時の強風対策として、錘として棒状板体錘９をボルト．ナットで固定した収納袋１を敷設し、通電することにより融雪はもとより、霜柱による枕木２０の浮上がりを防止する事ができ、豪雪地帯の列車の運行中止を防ぐことができる（図４、図５、図８、図１１）。
【００２５】
収納袋１の密閉部２１に、ノズル孔１２を有する散水パイプ１１を散水パイプ取付具１３で設置し、
水ホース１４より常温水、又は温水を流すことにより、冬季、夏季のおいて必要な場合に散水して、降雪、又は冷却をできるようにする。例えば、家屋１５の屋根１６の如く融雪．融氷マットを載設する面が傾斜している場合、該融雪．融氷マットの上側に散水パイプ１１を配設することにより、冬季において該融雪．融氷マットへの通電を忘れたため、又は真夜中の急激な積雪で通電できず該融雪．融氷マット上に積雪があった場合に、散水パイプ１１に温水又は常温水を送りＸ方向に散水することにより、一種のなだれ現象を生じさせて一気に降雪する事ができる。また、夏季においては、該融雪．融氷マットを屋根１６の頂上に捲回し、緊定ロープ１８により頂上部に固定し散水パイプ１１のノズル孔１２を屋根瓦面に向けて設置して、該散水パイプ１１より常温水を屋根上にＹ方向に散水することにより瓦の温度８５℃〜９０℃より、４０℃〜５０℃に冷却でき、家屋内の冷房効果を高める事ができる。なお、散水した水は循環させれば夏季の渇水期でも水の無駄使いを節減できる（図６、図９、図１０）。
【００２６】
防水シートは防水加工を施してあり、ある一定期間は充分な防水効果があるが、より耐用年数を延ばすため、収納袋１の内側、又は／及び面常発熱体２の表面に、合成ゴムの一種であるブチルゴム等防水効果の高い物を塗布してもよい。
【００２７】
航空機の翼面、漁船の甲板上、果樹の木の上、及び該果樹の木の下周辺、及び鉄道線路内への収納袋１の敷設は、該対象物に係止具を有する場合は、収納袋１の係止孔４を用いて、それを緊定する。係止具１７がない場合には、収納袋１の密閉部２１上に円柱体錘８、棒状板体錘９、若しくは水タンク錘１０を載設して強風、突風にて収納部１が吹き飛ばされないようにする。例えば、鉄道線路の融雪、融氷では、列車の通過に伴い突風が生じるため、レール１９を固定する枕木２０間にレール１９の内外に棒状板体錘９を載設した収納袋１を敷設し、融雪、及び枕木２０の下面での霜柱の発生を防ぐ(図１１)。
【００２８】
面状発熱体２の通電は降雪センサーを用いて積雪のある時のみ行い、積雪のないときは遮断することにより間欠通電を行い、節電することも可能である。
【実施例１】
【００２９】
幅２M、長さ３Mの収納袋に、幅１．５M、長さ２．５Mの電気毛布を収納し、家屋の屋根の一部分に該収納マットを敷設し、該収納マットの係止孔を用いて軒下等にある係止具にロープにて緊定した。
【００３０】
９:００P．M頃より降雪が始まり収納マットの電気毛布に通電を開始、翌朝の８:００A．M頃、収納袋以外の部分は１８ｃｍ〜２０ｃｍの積雪があったが、収納袋上に積雪は認められず、その効果を確認する事ができた。
【実施例２】
【００３１】
家屋の玄関先の６段の階段は、冬季は積雪、氷結等があり滑りやすく非常に危険であったが、幅１．５Ｍ、長さ２．５Ｍの電気毛布を収納した、幅２M、長さ３Mの収納袋を該階段に敷設した。該収納袋は防水シート、電気毛布で構成しているため、可撓性があり階段の形状にぴったり合わせて敷設できた。タイマーにより４:００Ｐ．Ｍから翌朝８:００Ａ．Ｍ間、電気マットに通電したところ、その融氷作用により氷結は全く無く朝方の通勤、通学時の階段歩行での危険性はなくなった。
【図面の簡単な説明】
【００３２】
【図１】本考案である融雪．融氷マットの基本構成を示す斜視図
【図２】収納袋に面常発熱体を挿入する時の状態図
【図３】図１のＡ−Ａ断面図
【図４】収納袋に錘として円柱体を載設した状態図
【図５】収納袋に錘として棒状板体及び／又は水タンクを載設した載設した状態図
【図６】収納袋の一辺端に散水パイプを設けた状態図
【図７】家屋の屋根に収納袋の係止孔を用いて、収納袋を敷設した状態図
【図８】家屋の屋根に収納袋に錘として棒状板体及び／又は水タンクを載設して敷設した状態図
【図９】家屋の屋根に収納袋の一辺端に散水パイプ、他端辺に錘として円柱体を載設して敷設した状態図
【図１０】（１）冬季において散水パイプにて散水を行う状態図              （２）夏季において散水パイプにて散水を行う状態図
【図１１】鉄道レール、枕木間に収納袋を敷設した状態図
【符号の説明】
【００３３】
１    収納袋
２    面状発熱体
３    防水ファスナー
４    係止孔
５    係止ロープ
６    電熱線
７    電源コード
８    円柱体錘
９    棒状板体錘
１０    水タンク錘
１１    散水パイプ
１２    ノズル孔
１３    散水パイプ取付具
１４    水ホース
１５    家屋
１６    屋根
１７    係止具
１８    緊定ロープ
１９    レール
２０    枕木
２１    密閉部
２２    収納部
Ｘ，Ｙ  水流
【図１】
0003127346.tif 000003
【図２】
0003127346.tif 000004
【図３】
0003127346.tif 000005
【図４】
0003127346.tif 000006
【図５】
0003127346.tif 000007
【図６】
0003127346.tif 000008
【図７】
0003127346.tif 000009
【図８】
0003127346.tif 000010
【図９】
0003127346.tif 000011
【図１０】
0003127346.tif 000012
【図１１】
0003127346.tif 000013